(57)【特許請求の範囲】
【請求項１】
天井部材と支持脚とを有する座卓の下方に掘枠が設けられ、天井部材の下面に上ヒータが取付けられ、掘枠の内側面に横ヒータが取付けられ、掘枠の内底面に下ヒータが取付けられた掘りごたつにおいて、
前記上ヒータと横ヒータと下ヒータの全てが発熱する第１のモードと、上ヒータが発熱せず、横ヒータと下ヒータが発熱する第２のモードが予め定められていて、
前記ヒータのスイッチオンからの経過時間に基づいて規定された、若しくは掘りごたつ内の温度に基づいて規定された、所定のタイミングで、第１のモードから第２のモードに自動的に切り替わるように制御することを特徴とする掘りごたつの温度制御方法。
【請求項２】
第２のモードの後、横ヒータは発熱せず、上ヒータと下ヒータが発熱する第３のモードと、第３のモード以後は、上ヒータと下ヒータが発熱せず、横ヒータが発熱する第４のモードをさらに備えていることを特徴とする請求項１に記載の掘りごたつの温度制御方法。
【発明の詳細な説明】
【技術分野】
【０００１】
本発明は、掘りごたつの温度制御方法に関する。
【背景技術】
【０００２】
従来、天井部材と支持脚とを有する座卓の下方に掘枠が設けられ、天井部材の下面に上ヒータが取付けられ、掘枠の内側面に横ヒータが取付けられ、掘枠の内底面に下ヒータが取付けられた掘りごたつがある（特許文献１参照）。なお、天井部材と支持脚とはこたつ布団で覆われて、天井部材の上にこたつ布団を介して天板が置かれている。
【０００３】
また、このような掘りごたつにおいて、上ヒータと横ヒータと下ヒータの全てが発熱するモードＡと、上ヒータが発熱せず、横ヒータと下ヒータが発熱するモードＢが予め定められていて、使用者がコントローラを手操作することで、立ち上がり時は発熱モードＡとなるように切り替え、安定時は発熱モードＢとなるように切り替えるようにしたものがある。
【特許文献１】特開２００５−１８０８４６号公報
【発明の開示】
【発明が解決しようとする課題】
【０００４】
しかしながら、使用者がコントローラを手操作しなければ発熱モードを切り替えることができないので、切り替えが煩わしいという問題があった。
【０００５】
本発明は、前記問題を解消するためになされたもので、使用者がコントローラを手操作しなくても、発熱モードを自動的に切り替えることができる掘りごたつの温度制御方法を提供することを目的とするものである。
【課題を解決するための手段】
【０００６】
前記課題を解決するために、本発明は、天井部材と支持脚とを有する座卓の下方に掘枠が設けられ、天井部材の下面に上ヒータが取付けられ、掘枠の内側面に横ヒータが取付けられ、掘枠の内底面に下ヒータが取付けられた掘りごたつにおいて、前記上ヒータと横ヒータと下ヒータの全てが発熱する第１のモードと、上ヒータが発熱せず、横ヒータと下ヒータが発熱する第２のモードが予め定められていて、前記ヒータのスイッチオンからの経過時間に基づいて規定された、若しくは掘りごたつ内の温度に基づいて規定された、所定のタイミングで、第１のモードから第２のモードに自動的に切り替わるように制御することを特徴とする掘りごたつの温度制御方法を提供するものである。
【０００７】
請求項２のように、第２のモードの後、横ヒータは発熱せず、上ヒータと下ヒータが発熱する第３のモードと、第３のモード以後は、上ヒータと下ヒータが発熱せず、横ヒータが発熱する第４のモードをさらに備えている構成とすることができる。
【発明の効果】
【０００９】
本発明によれば、上ヒータと横ヒータと下ヒータの全てが発熱する第１のモードと、上ヒータが発熱せず、横ヒータと下ヒータが発熱する第２のモードが予め定められていて、所定のタイミングで発熱モードが自動的に切り替わるように制御するから、使用者がコントローラを手操作しなくても、発熱モードを自動的に切り替えることができるので、切り替えの煩わしさが解消されるようになる。
【００１０】
そして、発熱モードを自動的に切り替えるタイミングとして、ヒータのスイッチオンからの経過時間に基づいて規定されたものであれば、上ヒータと横ヒータと下ヒータの全てが発熱する第１のモードと、上ヒータが発熱せず、横ヒータと下ヒータが発熱する第２のモードが予め定められているから、ヒータのスイッチオンから一定時間（例えば１時間）までは、上ヒータと横ヒータと下ヒータの全てが発熱する第１のモードとして、掘りごたつ内の着座者の足全体が均等に暖められるとともに、その一定時間が経過した後は、上ヒータが発熱せず、横ヒータと下ヒータが発熱する第２のモードに自動的に切り替えれば、掘りごたつ内の着座者の足元部分だけの暖めが継続されるので、快適性が向上するようになる。
【００１１】
また、発熱モードを自動的に切り替えるタイミングとして、掘りごたつ内の温度に基づいて規定されたものであれば、上ヒータと横ヒータと下ヒータの全てが第１のモードと、上ヒータが発熱せず、横ヒータと下ヒータが発熱する第２のモードが予め定められているから、掘りごたつ内の温度が一定温度（例えば４０度）までは、上ヒータと横ヒータと下ヒータの全てが発熱する第１のモードとして、掘りごたつ内の着座者の足全体が均等に暖められるとともに、その一定温度を超えた時は、上ヒータが発熱せず、横ヒータと下ヒータが発熱する第２のモードに自動的に切り替えれば、掘りごたつ内の着座者の足元部分だけの暖めが継続されるので、快適性が向上するようになる。
請求項２によれば、第１と第２のモードに加え、第３のモードと第４のモードをさらに備えているから、全ヒータのスイッチをオンしてからタイマーでカウントして一定時間までは、全ヒータが発熱する第１のモード（立上がりモード）とし、その後は、上ヒータが発熱せず、横ヒータと下ヒータが発熱する第２のモード（足湯モード）とし、その後は、横ヒータは発熱せず、上ヒータと下ヒータが発熱する第３のモード（くつろぎモード）とし、それ以後は、上ヒータと下ヒータが発熱せず、横ヒータが発熱する第４のモード（うたたねモード）となるので、立上がりモード→足湯モード→くつろぎモード→うたたねモードに自動的に切り替わるようになる。このように、モードを適宜に増加させれば、よりきめ細やかな暖めが実現化するので、快適性がより向上するようになる。
【発明を実施するための最良の形態】
【００１２】
以下、本発明を実施するための最良の形態について、図面を参照しながら詳細に説明する。
【００１３】
図１は、掘りごたつ１の側面断面図であり、掘りごたつ１は、天井部材２と支持脚３とを有する座卓の下方の床４に掘枠５が設けられている。本例では、天井部材２と掘枠５は四角形状とし、支持脚３は、天井部材２と掘枠５の４隅に取付けられているものとするが、形状は丸形状や三角形状などであっても良い。なお、図示は省略するが、天井部材２と支持脚３とはこたつ布団で覆われて、天井部材２の上にこたつ布団を介して天板が置かれている。
【００１４】
天井部材２の下面には上ヒータ７が取付けられ、掘枠５の内側面の四周囲には横ヒータ８が取付けられ、掘枠５の内底面には下ヒータ９が取付けられている。
【００１５】
これらヒータ７〜９は、コード状ヒータ若しくは面状発熱体であるのが好ましいが、上ヒータ７は、赤外線ヒータ７と、この赤外線ヒータ７で熱せられた空気を掘りごたつ１内に行き渡らせるための攪拌ファンとであっても良い。
【００１６】
この掘りごたつ１には、床４に座った着座者１０が支持脚３の間から足を入れて暖を取ることができる。
【００１７】
一方、図３に示すように、制御装置１５が設けられて、この制御装置１５には、上ヒータ７と横ヒータ８と下ヒータ９の通電時間率を変えた複数の発熱モードＡ，Ｂが予め定められてプログラムされている。
【００１８】
第１のモードＡは、例えば表１のように、通電時間率は、リモコン１６で目盛５にセットした時は、全ヒータ７〜９が１００％、同様に、目盛４にセットした時は、全ヒータ７〜９が８０％、目盛３にセットした時は、全ヒータ７〜９が６０％、目盛２にセットした時は、全ヒータ７〜９が４０％、目盛１にセットした時は、全ヒータ７〜９が２０％となるように設定されている。
【００１９】
また、第２のモードＢは、例えば表２のように、通電時間率は、リモコン１６で目盛５にセットした時は、上ヒータ７が０％で、横ヒータ８と下ヒータ９が１００％、同様に、目盛４にセットした時は、上ヒータ７が０％で、横ヒータ８と下ヒータ９が８０％、目盛３にセットした時は、上ヒータ７が０％で、横ヒータ８と下ヒータ９が６０％、目盛２にセットした時は、上ヒータ７が０％で、横ヒータ８と下ヒータ９が４０％、目盛１にセットした時は、上ヒータ７が０％で、横ヒータ８と下ヒータ９が２０％となるように設定されている。
【００２０】
【表１】
0005011031.tif 000002
【００２１】
【表２】
0005011031.tif 000003
【００２２】
そして、制御装置１５において、所定のタイミングでモードＡ，Ｂが自動的に切り替わるように制御されるようになる。
【００２３】
具体的には、所定のタイミングは、全ヒータ７〜９のスイッチ１７をオンしてからタイマ１８でカウントして一定時間（例えば１時間）までは、全ヒータ７〜９が発熱するモードＡとし、その一定時間が経過した後は、上ヒータ７が発熱せず、横ヒータ８と下ヒータ９が発熱するモードＢとなるように、自動的に切り替わるようになる。
【００２４】
すなわち、リモコン１６で目盛５にセットしていると、スイッチ１７をオンしてから１時間までは、モードＡにおいて、全ヒータ７〜９が通電時間率１００％で発熱するとともに、１時間を経過すると、モードＢに自動的に切り替わって、上ヒータ７が通電時間率０％で発熱せず（つまり、切れる。）、横ヒータ８と下ヒータ９が通電時間率１００％で発熱を継続するようになる。
【００２５】
同様に、目盛４にセットしていると、スイッチ１７オンから１時間までは、モードＡにおいて、全ヒータ７〜９が通電時間率８０％で発熱するとともに、１時間を経過すると、モードＢに自動的に切り替わって、上ヒータ７が通電時間率０％で発熱せず、横ヒータ８と下ヒータ９が通電時間率８０％で発熱を継続するようになる。
【００２６】
目盛３にセットしていると、スイッチ１７オンから１時間までは、モードＡにおいて、全ヒータ７〜９が通電時間率６０％で発熱するとともに、１時間を経過すると、モードＢに自動的に切り替わって、上ヒータ７が通電時間率０％で発熱せず、横ヒータ８と下ヒータ９が通電時間率６０％で発熱を継続するようになる。
【００２７】
目盛２にセットしていると、スイッチ１７オンから１時間までは、モードＡにおいて、全ヒータ７〜９が通電時間率４０％で発熱するとともに、１時間を経過すると、モードＢに自動的に切り替わって、上ヒータ７が通電時間率０％で発熱せず、横ヒータ８と下ヒータ９が通電時間率４０％で発熱を継続するようになる。
【００２８】
目盛１にセットしていると、スイッチ１７オンから１時間までは、モードＡにおいて、全ヒータ７〜９が通電時間率２０％で発熱するとともに、１時間を経過すると、モードＢに自動的に切り替わって、上ヒータ７が通電時間率０％で発熱せず、横ヒータ８と下ヒータ９が通電時間率２０％で発熱を継続するようになる。
【００２９】
前記のような掘りごたつ１であれば、上ヒータ７と横ヒータ８と下ヒータ９の通電時間率を変えた複数の発熱モードＡ，Ｂが予め定められていて、所定のタイミングで発熱モードＡ，Ｂが自動的に切り替わるように制御するから、着座者（使用者）１０がコントローラを手操作しなくても、発熱モードＡ，Ｂを自動的に切り替えることができるので、切り替えの煩わしさが解消されるようになる。
【００３０】
また、発熱モードＡ，Ｂを自動的に切り替えるタイミングとして、全ヒータ７〜９のスイッチオンから一定時間（例えば１時間）までと、その一定時間が経過した後であれば、全ヒータ７〜９のスイッチオンから一定時間（例えば１時間）までは、上ヒータ７と横ヒータ８と下ヒータ９の全てが発熱するモードＡとして、掘りごたつ１内の着座者１０の足全体が均等に暖められるとともに、その一定時間が経過した後は、上ヒータ７が発熱せず、横ヒータ８と下ヒータ９が発熱するモードＢに自動的に切り替わって、掘りごたつ１内の着座者１０の足元部分だけの暖めが継続されるので、快適性が向上するようになる。
【００３１】
前記実施形態は、前記所定のタイミングとして、ヒータのスイッチオンから一定時間までと、その一定時間が経過した後であるとしたが、掘りごたつ１内の温度が一定温度（例えば４０度）までと、その一定温度を超えた時であるとすることもできる。この場合には、前記タイマー１８に代えて、掘りごたつ１内に温度センサー１９を取付ける。
【００３２】
そして、掘りごたつ１内の温度が一定温度までは、上ヒータ７と横ヒータ８と下ヒータ９の全てが発熱するモードＡとして、掘りごたつ１内の着座者１０の足全体が均等に暖められるとともに、その一定温度を超えた時は、上ヒータ７が発熱せず、横ヒータ８と下ヒータ９が発熱するモードＢに自動的に切り替わって、掘りごたつ１内の着座者１０の足元部分だけの暖めが継続されるので、快適性が向上するようになる。
【００３３】
また、前記各実施形態では、制御装置１５に、上ヒータ７と横ヒータ８と下ヒータ９の通電時間率を変えた２モードの発熱モードＡ，Ｂが予め定められてプログラムされていたが、発熱モードＣ，Ｄの２モードをさらに加えてプログラムすることができる（合計４モード）。
【００３４】
第３のモードＣは、例えば表３のように、通電時間率は、リモコン１６で目盛５にセットした時は、上ヒータ７が６０％で、横ヒータ８が０％、下ヒータ９が５０％、同様に、目盛４にセットした時は、上ヒータ７が５０％で、横ヒータ８が０％、下ヒータ９が４０％、目盛３にセットした時は、上ヒータ７が４０％で、横ヒータ８が０％、下ヒータ９が３０％目盛２にセットした時は、上ヒータ７が３０％で、横ヒータ８が０％、下ヒータ９が２０％、目盛１にセットした時は、上ヒータ７が２０％で、横ヒータ８が０％、下ヒータ９が１０％となるように設定されている。
【００３５】
また、第４のモードＤは、例えば表４のように、通電時間率は、リモコン１６で目盛５にセットした時は、上ヒータ７が０％で、横ヒータ８が６０％、下ヒータ９が０％、同様に、目盛４にセットした時は、上ヒータ７が０％で、横ヒータ８が５０％、下ヒータ９が０％、目盛３にセットした時は、上ヒータ７が０％で、横ヒータ８が４０％、下ヒータ９が０％、目盛２にセットした時は、上ヒータ７が０％で、横ヒータ８が３０％、下ヒータ９が０％、目盛１にセットした時は、上ヒータ７が０％で、横ヒータ８が２０％、下ヒータ９が０％となるように設定されている。
【００３６】
【表３】
0005011031.tif 000004
【００３７】
【表４】
0005011031.tif 000005
【００３８】
そして、制御装置１５において、所定のタイミングでモードＡ〜Ｄが自動的に切り替わるように制御されるようになる。
【００３９】
具体的には、所定のタイミングは、全ヒータ７〜９のスイッチ１７をオンしてからタイマー１８でカウントして一定時間（例えば３０分）までは、全ヒータ７〜９が発熱するモードＡ（立上がりモード）とし、その後３０分は、上ヒータ７が発熱せず、横ヒータ８と下ヒータ９が発熱するモードＢ（足湯モード）とし、その後３０分は、横ヒータ８は発熱せず、上ヒータ７と下ヒータ９が発熱するモードＣ（くつろぎモード）とし、それ以後は、上ヒータ７と下ヒータ９が発熱せず、横ヒータ８が発熱するモードＤ（うたたねモード）となるように、自動的に切り替わるようになる。なお、うたたねモードであるモードＤは、図２のように、床４とほほ同じ高さ位置に簀の子２０を敷いて着座者１０が寝転ぶことを想定しており、上ヒータ７と下ヒータ９の輻射熱を抑え、横ヒータ８から間接的にマイルドに暖めるようになっている。
【００４０】
すなわち、リモコン１６で目盛５にセットしていると、スイッチ１７をオンしてから３０分までは、モードＡにおいて、全ヒータ７〜９が通電時間率１００％で発熱し、３０分が経過すると、モードＢに自動的に切り替わって、上ヒータ７が通電時間率０％で発熱しなくなり、横ヒータ８と下ヒータ９が通電時間率１００％で発熱を継続し、さらに３０分が経過すると、モードＣに自動的に切り替わって、上ヒータ７が通電時間率６０％で発熱を再開し、横ヒータ８が通電時間率０％で発熱しなくなり、下ヒータ９が通電時間率５０％で発熱を継続し、さらに３０分が経過すると、モードＤに自動的に切り替わって、上ヒータ７と下ヒータ９が通電時間率０％で発熱しなくなり、横ヒータ８が通電時間率６０％で発熱を再開するようになる。
【００４１】
同様に、目盛４にセットしていると、スイッチ１７をオンしてから３０分までは、モードＡにおいて、全ヒータ７〜９が通電時間率８０％で発熱し、３０分が経過すると、モードＢに自動的に切り替わって、上ヒータ７が通電時間率０％で発熱しなくなり、横ヒータ８と下ヒータ９が通電時間率８０％で発熱を継続し、さらに３０分が経過すると、モードＣに自動的に切り替わって、上ヒータ７が通電時間率５０％で発熱を再開し、横ヒータ８が通電時間率０％で発熱しなくなり、下ヒータ９が通電時間率４０％で発熱を継続し、さらに３０分が経過すると、モードＤに自動的に切り替わって、上ヒータ７と下ヒータ９は通電時間率０％で発熱しなくなり、横ヒータ８が通電時間率５０％で発熱を再開するようになる。
【００４２】
目盛３にセットしていると、スイッチ１７をオンしてから３０分までは、モードＡにおいて、全ヒータ７〜９が通電時間率６０％で発熱し、３０分が経過すると、モードＢに自動的に切り替わって、上ヒータ７が通電時間率０％で発熱しなくなり、横ヒータ８と下ヒータ９が通電時間率６０％で発熱を継続し、さらに３０分が経過すると、モードＣに自動的に切り替わって、上ヒータ７が通電時間率４０％で発熱を再開し、横ヒータ８が通電時間率０％で発熱せず、下ヒータ９が通電時間率３０％で発熱を継続し、さらに３０分が経過すると、モードＤに自動的に切り替わって、上ヒータ７と下ヒータ９は通電時間率０％で発熱しなくなり、横ヒータ８が通電時間率４０％で発熱を再開するようになる。
【００４３】
目盛２にセットしていると、スイッチ１７をオンしてから３０分までは、モードＡにおいて、全ヒータ７〜９が通電時間率４０％で発熱し、３０分が経過すると、モードＢに自動的に切り替わって、上ヒータ７が通電時間率０％で発熱しなくなり、横ヒータ８と下ヒータ９が通電時間率４０％で発熱を継続し、さらに３０分が経過すると、モードＣに自動的に切り替わって、上ヒータ７が通電時間率３０％で発熱を再開し、横ヒータ８が通電時間率０％で発熱しなくなり、下ヒータ９が通電時間率２０％で発熱を継続し、さらに３０分が経過すると、モードＤに自動的に切り替わって、上ヒータ７と下ヒータ９は通電時間率０％で発熱しなくなり、横ヒータ８が通電時間率３０％で発熱を再開するようになる。
【００４４】
目盛１にセットしていると、スイッチ１７をオンしてから３０分までは、モードＡにおいて、全ヒータ７〜９が通電時間率２０％で発熱し、３０分が経過すると、モードＢに自動的に切り替わって、上ヒータ７が通電時間率０％で発熱しなくなり、横ヒータ８と下ヒータ９が通電時間率２０％で発熱を継続し、さらに３０分が経過すると、モードＣに自動的に切り替わって、上ヒータ７が通電時間率２０％で発熱を再開し、横ヒータ８は通電時間率０％で発熱しなくなり、下ヒータ９が通電時間率１０％で発熱を継続し、さらに３０分が経過すると、モードＤに自動的に切り替わって、上ヒータ７と下ヒータ９は通電時間率０％で発熱しなくなり、横ヒータ８が通電時間率２０％で発熱を再開するようになる。
【００４５】
このように、モードを適宜に増加させれば、よりきめ細やかな暖めが実現化するので、快適性がより向上するようになる。
【図面の簡単な説明】
【００４６】
【図１】本発明の実施形態に係る掘りごたつの側面断面図である。
【図２】図１の変形例の掘りごたつの側面断面図である。
【図３】制御装置のシステム図である。
【符号の説明】
【００４７】
１    掘りごたつ
２    天井部材
３    支持脚
５    掘枠
７    上ヒータ
８    横ヒータ
９    下ヒータ
１０  着座者
１５  制御装置
１６  リモコン
１７  スイッチ
１８  タイマー
１９  温度センサー
Ａ 第１のモード
Ｂ 第２のモード
Ｃ 第３のモード
Ｄ 第４のモード
【図１】
0005011031.tif 000006
【図２】
0005011031.tif 000007
【図３】
0005011031.tif 000008